(57)【要約】本発明の一目的は、ホーム加入者サーバＨＳＳ上に格納されたデータの変更についてアプリケーション・サーバＡＳに通知するための方法であり、前記方法が、  ＨＳＳ上でパブリックＩＤが削除されるとき、ＡＳに前記パブリックＩＤ削除について知らせるステップを備える。
2011523241.tif 000002
【特許請求の範囲】
【請求項１】
ホーム加入者サーバＨＳＳ上に格納されたデータの変更についてアプリケーション・サーバＡＳに通知するための方法であって、
前記ＨＳＳ上でパブリックＩＤが削除されるとき、前記ＡＳに前記パブリックＩＤ削除について知らせるステップを備える方法。
【請求項２】
パブリックＩＤが通知へのいずれかのＡＳサブスクリプションを有する場合、前記ＨＳＳがＡＳにＨＳＳ上の前記パブリックＩＤの削除について知らせるステップ
を備える、請求項１に記載の方法。
【請求項３】
ホーム加入者サーバＨＳＳ上に格納されたデータの変更についてアプリケーション・サーバＡＳに通知するための方法であって、
パブリックＩＤが通知へのいずれかのＡＳサブスクリプションを有する場合、前記ＨＳＳがＡＳにＨＳＳ上の前記パブリックＩＤの削除について知らせるステップを備える方法。
【請求項４】
データ型を定義するＸＭＬスキーマに従うデータをＨＳＳによってＡＳに送信するステップを含む通知手順を使用するステップと、
パブリックＩＤ削除を示すデータ型の値と共に、ＨＳＳ上のパブリックＩＤ削除について前記ＡＳに通知するステップと
を備える、請求項１乃至３のいずれか１項に記載の方法。
【請求項５】
前記データ型が、可能な値：
ＰＵＢＬＩＣ＿ＵＳＥＲ＿ＩＤＥＮＴＩＴＹ
ＤＩＳＴＩＮＣＴ＿ＰＳＩ
ＷＩＬＤＣＡＲＤＥＤ＿ＰＳＩ
ＤＥＬＥＴＥＤ
を有するＩｄｅｎｔｉｔｙ  Ｔｙｐｅに対応し、
前記値ＤＥＬＥＴＥＤが、ＨＳＳ上のパブリックＩＤ削除を示す、請求項４に記載の方法。
【請求項６】
前記ＨＳＳ上でパブリック・ユーザＩＤまたはパブリック・サービスＩＤが削除されるとき、前記Ｉｄｅｎｔｉｔｙ  ＴｙｐｅがＤＥＬＥＴＥＤを示す、請求項５に記載の方法。
【請求項７】
ＨＳＳによってＡＳに送信されたＳｈ−Ｎｏｔｉｆ要求メッセージの情報要素ＤａｔａがマップされるＤｉａｍｅｔｅｒ  ＡＶＰ  Ｕｓｅｒ−Ｄａｔａ内の前記Ｉｄｅｎｔｉｔｙ  Ｔｙｐｅ  ＤＥＬＥＴＥＤを用いて、ＨＳＳ上のパブリック・ユーザＩＤまたはパブリック・サービスＩＤの削除を示すステップ
を備える、請求項５または６に記載の方法。
【請求項８】
パブリックＩＤ削除について通知されると、前記ＡＳが必要に応じて、対応する措置を講じるステップ
を備える、請求項１乃至７のいずれか１項に記載の方法。
【請求項９】
前記ＡＳが前記パブリックＩＤ削除通知を理解しない場合、前記ＡＳが前記受信された通知を無視する、請求項１乃至８のいずれか１項に記載の方法。
【請求項１０】
前記ＨＳＳ上でパブリックＩＤが削除されるとき、前記パブリックＩＤ削除についてアプリケーション・サーバＡＳに通知する手段
を備えるホーム加入者サーバＨＳＳ。
【請求項１１】
パブリックＩＤが通知へのいずれかのＡＳサブスクリプションを有する場合、ＨＳＳ上の前記パブリックＩＤの削除についてＡＳに通知する手段
を備える、請求項１０に記載のホーム加入者サーバＨＳＳ。
【請求項１２】
パブリックＩＤが通知へのいずれかのアプリケーション・サーバＡＳサブスクリプションを有する場合、ＨＳＳ上の前記パブリックＩＤの削除についてＡＳに通知する手段
を備えるホーム加入者サーバＨＳＳ。
【請求項１３】
データ型を定義するＸＭＬスキーマに従うデータをＨＳＳによってＡＳに送信するステップを含む通知手順を使用する手段と、
パブリックＩＤ削除を示すデータ型の値と共に、ＨＳＳ上のパブリックＩＤ削除について前記ＡＳに通知する手段と
備える、請求項１０乃至１２のいずれか１項に記載のホーム加入者サーバＨＳＳ。
【請求項１４】
前記データ型が、可能な値：
ＰＵＢＬＩＣ＿ＵＳＥＲ＿ＩＤＥＮＴＩＴＹ
ＤＩＳＴＩＮＣＴ＿ＰＳＩ
ＷＩＬＤＣＡＲＤＥＤ＿ＰＳＩ
ＤＥＬＥＴＥＤ
を有するＩｄｅｎｔｉｔｙ  Ｔｙｐｅに対応し、
値ＤＥＬＥＴＥＤが、ＨＳＳ上のパブリックＩＤ削除を示す、請求項１３に記載のホーム加入者サーバＨＳＳ。
【請求項１５】
前記ＨＳＳ上でパブリック・ユーザＩＤまたはパブリック・サービスＩＤが削除されるとき、前記Ｉｄｅｎｔｉｔｙ  ＴｙｐｅがＤＥＬＥＴＥＤを示す、請求項１４に記載のホーム加入者サーバＨＳＳ。
【請求項１６】
ＨＳＳによってＡＳに送信されたＳｈ−Ｎｏｔｉｆ要求メッセージの情報要素ＤａｔａがマップされるＤｉａｍｅｔｅｒ  ＡＶＰ  Ｕｓｅｒ−Ｄａｔａ内の前記Ｉｄｅｎｔｉｔｙ  Ｔｙｐｅ  ＤＥＬＥＴＥＤを用いて、ＨＳＳ上のパブリック・ユーザＩＤまたはパブリック・サービスＩＤの削除を示す手段
を備える、請求項１４または１５のいずれか１項に記載のホーム加入者サーバＨＳＳ。
【請求項１７】
ホーム加入者サーバＨＳＳから、前記ＨＳＳ上のパブリックＩＤ削除についての通知を受け取る手段
を備えるアプリケーション・サーバＡＳ。
【請求項１８】
前記ＡＳが前記ＨＳＳ上の前記パブリックＩＤのいずれかのサブスクリプションを有する限り、ＨＳＳ上のパブリック削除についての通知をホーム加入者サーバＨＳＳから受け取る手段
を備える、請求項１７に記載のアプリケーション・サーバ。
【請求項１９】
前記ＡＳが前記ＨＳＳ上の前記パブリックＩＤのいずれかのサブスクリプションを有する限り、ＨＳＳ上のパブリック削除についての通知をホーム加入者サーバＨＳＳから受け取る手段
を備えるアプリケーション・サーバＡＳ。
【請求項２０】
データ型を定義するＸＭＬスキーマに従うデータをＨＳＳによってＡＳに送信するステップを含む通知手順を使用する手段と、
パブリックＩＤ削除を示すデータ型の値と共に、ＨＳＳ上のパブリックＩＤ削除についての通知を受け取る手段と
を備える、請求項１７乃至１９のいずれか１項に記載のアプリケーション・サーバＡＳ。
【請求項２１】
前記データ型が、可能な値：
ＰＵＢＬＩＣ＿ＵＳＥＲ＿ＩＤＥＮＴＩＴＹ
ＤＩＳＴＩＮＣＴ＿ＰＳＩ
ＷＩＬＤＣＡＲＤＥＤ＿ＰＳＩ
ＤＥＬＥＴＥＤ
を有するＩｄｅｎｔｉｔｙ  Ｔｙｐｅに対応し、
値ＤＥＬＥＴＥＤが、ＨＳＳ上のパブリックＩＤ削除を示す、請求項２０に記載のアプリケーション・サーバＡＳ。
【請求項２２】
前記ＨＳＳ上でパブリック・ユーザＩＤまたはパブリック・サービスＩＤが削除されるとき、前記Ｉｄｅｎｔｉｔｙ  ＴｙｐｅがＤＥＬＥＴＥＤを示す、請求項２１に記載のアプリケーション・サーバＡＳ。
【請求項２３】
ＨＳＳによってＡＳに送信されたＳｈ−Ｎｏｔｉｆ要求メッセージの情報要素ＤａｔａがマップされるＤｉａｍｅｔｅｒ  ＡＶＰ  Ｕｓｅｒ−Ｄａｔａ内の前記Ｉｄｅｎｔｉｔｙ  Ｔｙｐｅ  ＤＥＬＥＴＥＤを用いて、ＨＳＳ上のパブリック・ユーザＩＤまたはパブリック・サービスＩＤの削除を示す通知を受け取る手段
を備える、請求項２１または２２のいずれか１項に記載のアプリケーション・サーバＡＳ。
【請求項２４】
パブリックＩＤ削除について通知されると、必要に応じて、対応する措置を講じる手段
を備える、請求項１７乃至２３のいずれか１項に記載のアプリケーション・サーバＡＳ。
【請求項２５】
前記ＡＳが前記パブリックＩＤ削除通知を理解しない場合、前記ＡＳが前記受信された通知を無視する、請求項１７乃至２４のいずれか１項に記載のアプリケーション・サーバＡＳ。
【発明の詳細な説明】
【技術分野】
【０００１】
本発明は、一般には、特に移動通信ネットワークおよびシステムなど、通信ネットワークおよびシステムに関する。
【０００２】
こうしたネットワークおよびシステムについての詳細な説明は、特に３ＧＰＰ（３ｒｄ  Ｇｅｎｅｒａｔｉｏｎ  Ｐａｒｔｎｅｒｓｈｉｐ  Ｐｒｏｊｅｃｔ：第３世代パートナーシップ・プロジェクト）などの標準化機関によって公表された文献、特に技術仕様書において見ることができる。
【０００３】
本発明は、より具体的には、ＩＰ（Ｉｎｔｅｒｎｅｔ  Ｐｒｏｔｏｃｏｌ：インターネット・プロトコル）ベースのサービスを提供する、特にＩＰマルチメディア・サブシステム（ＩＭＳ：ＩＰ  Ｍｕｌｔｉｍｅｄｉａ  Ｓｕｂｓｙｓｔｅｍ）など、ＩＰベースのサブシステムを備えるこうしたネットワークおよびシステムに関する。
【背景技術】
【０００４】
ＩＭＳ（３ＧＰＰによって、特に３ＧＰＰ  ＴＳ  ２３．２２８内で指定された）の実施例が、本発明が適用される一例として、下記でより具体的に考察される。しかし、本発明は、こうした実施例に限定されず、たとえばＭＭＤ（３ＧＰＰ２（３ｒｄ  Ｇｅｎｅｒａｔｉｏｎ  Ｐａｒｔｎｅｒｓｈｉｐ  Ｐｒｏｊｅｃｔ２：第３世代パートナーシップ・プロジェクト２）によって指定されたマルチメディア・ドメイン）、ＩＭＳ−ＮＧＮなど、他の例も、もちろん可能である。
【０００５】
ＩＭＳアーキテクチャは、特にアプリケーション・サーバ（ＡＳ：Ａｐｐｌｉｃａｔｉｏｎ  Ｓｅｒｖｅｒ）などのエンティティにより、付加価値サービスをサポートする。こうしたサービスを提供するために、ＡＳは、特にホーム加入者サーバ（ＨＳＳ：Ｈｏｍｅ  Ｓｕｂｓｃｒｉｂｅｒ  Ｓｅｒｖｅｒ）とも呼ばれる加入者データベースなど、他のエンティティと対話する必要がある。
【０００６】
「Ｓｈ」インターフェースと呼ばれる、ＡＳとＨＳＳの間のインターフェースは、特に３ＧＰＰ  ＴＳ  ２９．３２８および３ＧＰＰ  ＴＳ  ２９．３２９に指定されている。このインターフェース上のプロトコルは、Ｄｉａｍｅｔｅｒプロトコルに基づく。
【０００７】
Ｓｈインターフェース上の手順は、ＨＳＳからＡＳへのデータのダウンロード、およびＨＳＳ内のデータの更新を含めて、データ処理手順を含む。
【０００８】
Ｓｈインターフェース上の手順は、サブスクリプション／通知手順をも含み、このサブスクリプション／通知手順は、以下を含む：
−  ＡＳによって呼び出され、指定されたＩＭＳパブリック・ユーザＩＤまたはパブリック・サービスＩＤについての特定のデータが更新されるときにＨＳＳから通知を受け取るようにＡＳがサブスクライブすることを可能にする通知サブスクリプション（Ｓｈ−Ｓｕｂｓ−Ｎｏｔｉｆ）手順。この手順は、Ｄｉａｍｅｔｅｒアプリケーションでは、コマンドＳｕｂｓｃｒｉｂｅ−Ｎｏｔｉｆｉｃａｔｉｏｎｓ−Ｒｅｑｕｅｓｔにマップされる。
−  ＨＳＳによって呼び出され、ＡＳが通知を受け取るように以前にサブスクライブしたデータの変更についてＡＳに知らせるのに使用される通知（Ｓｈ−Ｎｏｔｉｆ）手順。この手順は、Ｄｉａｍｅｔｅｒアプリケーションでは、コマンドＰｕｓｈ−Ｎｏｔｉｆｉｃａｔｉｏｎ−Ｒｅｑｕｅｓｔにマップされる。
【０００９】
３ＧＰＰ  ＴＳ  ２９．３２８から引用された図１は、以下のステップによる、Ｓｈインターフェース上で交換されるメッセージ・フローの例を示している：
１．ユーザが、新しいサービスにサブスクライブする。オペレータは、ＡＳ内のサービスを供給する。ＡＳは、Ｓｈ−Ｕｐｄａｔｅ（ユーザＩＤ、更新されたデータ、たとえばリポジトリ・データ）を使用して、ＨＳＳ内のユーザのために何らかのサービス・データを格納する。
２．ＨＳＳは、データが更新されることを確認する。
３．しばらくして、ユーザは、ネットワークに登録する。
４．Ｓ−ＣＳＣＦは、ＨＳＳからデータをダウンロードする。フィルタ基準は、ＡＳが、エンドユーザ登録の通知を受けることを望むことを指定する。
５．２００  ＯＫ
６．Ｓ−ＣＳＣＦは、ユーザの登録を通知するサードパーティ登録メッセージをアプリケーション・サーバに送る。
７．２００  ＯＫ
８．ＡＳは、Ｓｈ−Ｓｕｂｓ−Ｎｏｔｉｆ（ユーザＩＤ、要求されたデータ、サービス情報およびデータ送信表示）によって、通知にサブスクライブし、ＨＳＳからのサービス提供に必要なデータをダウンロードする。
９．ＨＳＳは、サブスクリプション要求を確認し、ＡＳにデータを送信する。
１０．何らかのときに、ＡＳは、Ｓｈ−Ｕｐｄａｔｅ（ユーザＩＤ、更新されたデータ）によって、ユーザのサービス・データ、たとえばＨＳＳ内のレポジトリ・データを更新することを決定する。
１１．ＨＳＳは、サービス・データが更新されることを確認する。
１２．何らかのときに、ユーザ・データが、ＨＳＳ内で更新される。ＡＳが通知にサブスクライブしたので（ステップ８）、ＨＳＳは、Ｓｈ−Ｎｏｔｉｆ（ユーザＩＤ、更新されたデータ）によって、要求された更新をＡＳに送る。
１３．ＡＳは、通知に肯定応答する。
【００１０】
ＡＳによってＨＳＳに送信されたＳｈ−Ｓｕｂｓ−Ｎｏｔｉｆ要求メッセージに関与する情報要素は、Ｄｉａｍｅｔｅｒ  ＡＶＰ「Ｄａｔａ−Ｒｅｆｅｒｅｎｃｅ」にマップされ、変更の通知が必要とされるデータへの参照を含む情報要素「Ｒｅｑｕｅｓｔｅｄ  Ｄａｔａ」を含む。
【００１１】
ＨＳＳによってＡＳに送信されたＳｈ−Ｎｏｔｉｆ要求メッセージに関与する情報要素は、Ｄｉａｍｅｔｅｒ  ＡＶＰ「Ｕｓｅｒ−Ｄａｔａ」にマップされ、変更されたデータを含む情報要素「Ｄａｔａ」を含む。
【００１２】
Ｄｉａｍｅｔｅｒ  ＡＶＰ  Ｄａｔａ−Ｒｅｆｅｒｅｎｃｅにマップされた情報要素Ｒｅｑｕｅｓｔｅｄ  Ｄａｔａ、およびＤｉａｍｅｔｅｒ  ＡＶＰ  Ｕｓｅｒ−Ｄａｔａにマップされた情報要素Ｄａｔａは、Ｓｈインターフェース・ユーザ・プロファイル用のＸＭＬ（拡張可能マークアップ言語）スキーマに準拠したＸＭＬ文書を含む。
【００１３】
Ｓｈユーザ・プロファイル・インターフェース、単純データ型用のＸＭＬスキーマは、３ＧＰＰ  ＴＳ  ２９．３２８から引用された図２Ａ、２Ｂ、２Ｃにおいて想起されよう。Ｓｈユーザ・プロファイル・インターフェース、複雑データ型用のＸＭＬスキーマは、３ＧＰＰ  ＴＳ  ２９．３２８から引用された図３Ａ、３Ｂ、３Ｃにおいて想起されよう。
【００１４】
こうした文脈において、本発明は、特に、この規格の現状に関する下記の問題を認識している。
【００１５】
現在、Ｓｈインターフェースは、パブリックＩＤ削除通知を提供しない。現在、ＡＳがＨＳＳ上のＰＵＩＤ／ＰＳＩ（Ｐｕｂｌｉｃ  Ｕｓｅｒ  Ｉｄｅｎｔｉｔｙ／Ｐｕｂｌｉｃ  Ｓｅｒｖｉｃｅ  Ｉｄｅｎｔｉｔｙ）へのデータ・サブスクリプションを有する場合でも、ＰＵＩＤ／ＰＳＩ削除についてＡＳに通知する機構はない。特に、サブスクライブされたデータの削除をＵｓｅｒ−Ｄａｔａ  ＡＶＰの内容で表示することは、ＡＳへのＰＵＩＤ／ＰＳＩ削除通知にとって有効な解決策ではない。ＨＳＳとＡＳの間のＤｉａｍｅｔｅｒ  Ｓｈインターフェースは現在、ＡＳへのＰＵＩＤ／ＰＳＩ削除通知をサポートしていない。その結果、ＡＳは、ＰＵＩＤ／ＰＳＩ削除に必要で迅速な措置を講ずることができない。
【先行技術文献】
【非特許文献】
【００１６】
【非特許文献１】３ＧＰＰ  ＴＳ  ２３．２２８
【非特許文献２】３ＧＰＰ  ＴＳ  ２９．３２８
【非特許文献３】３ＧＰＰ  ＴＳ  ２９．３２９
【発明の概要】
【発明が解決しようとする課題】
【００１７】
本発明は、特に、こうした問題を解決し、かつ／またはこうした欠点を回避することを可能にする。特に、本発明の一目的は、ＡＳへのパブリックＩＤ削除通知に有効な解決策を提供することである。より一般的には、本発明の一目的は、特にＩＭＳなど、ＩＰベース・サブシステム内の付加価値サービスを向上させることである。
【課題を解決するための手段】
【００１８】
本発明の一態様では、これらおよび他の目的は、ホーム加入者サーバＨＳＳ上に格納されたデータの変更についてアプリケーション・サーバＡＳに通知するための方法によって達成され、前記方法は、
−  ＨＳＳ上でパブリックＩＤが削除されるとき、ＡＳに前記パブリックＩＤ削除について知らせるステップを備える。
【００１９】
本発明の別の態様では、これらおよび他の目的は、ホーム加入者サーバＨＳＳ上に格納されたデータの変更についてアプリケーション・サーバＡＳに通知するための方法によって達成され、前記方法は、
−  パブリックＩＤが通知へのいずれかのＡＳサブスクリプションを有する場合、ＨＳＳがＡＳにＨＳＳ上の前記パブリックＩＤの削除について知らせるステップを備える。
【００２０】
本発明の他の態様では、これらおよび他の目的は、こうした方法を実施するための手段を備える、特にホーム加入者サーバＨＳＳ、およびアプリケーション・サーバＡＳなどのエンティティによって達成される。
【００２１】
本発明のこれらおよび他の目的は、添付の図面と併せ読まれる以下の説明からより明らかになろう。
【図面の簡単な説明】
【００２２】
【図１】Ｓｈインターフェース上のＨＳＳとＡＳの間のメッセージ・フローの一例を想起するための図である。
【図２Ａ】Ｓｈユーザ・プロファイル・インターフェース、単純データ型用のＸＭＬスキーマを想起するための図である。
【図２Ｂ】Ｓｈユーザ・プロファイル・インターフェース、単純データ型用のＸＭＬスキーマを想起するための図である。
【図２Ｃ】Ｓｈユーザ・プロファイル・インターフェース、単純データ型用のＸＭＬスキーマを想起するための図である。
【図３Ａ】Ｓｈユーザ・プロファイル・インターフェース、複雑データ型用のＸＭＬスキーマを想起するための図である。
【図３Ｂ】Ｓｈユーザ・プロファイル・インターフェース、複雑データ型用のＸＭＬスキーマを想起するための図である。
【図３Ｃ】Ｓｈユーザ・プロファイル・インターフェース、複雑データ型用のＸＭＬスキーマを想起するための図である。
【図４Ａ】本発明による、Ｓｈユーザ・プロファイル・インターフェース、単純データ型用のＸＭＬスキーマの一例を示すためのものである。
【図４Ｂ】本発明による、Ｓｈユーザ・プロファイル・インターフェース、単純データ型用のＸＭＬスキーマの一例を示すためのものである。
【図４Ｃ】本発明による、Ｓｈユーザ・プロファイル・インターフェース、単純データ型用のＸＭＬスキーマの一例を示すためのものである。
【発明を実施するための形態】
【００２３】
本発明の一態様は、特に、下記の説明（ｓｔａｔｅｍｅｎｔ）に基づく。
【００２４】
パブリックＩＤ（パブリック・ユーザＩＤ  ＰＵＩＤまたはパブリック・サービスＩＤ  ＰＳＩ）が、ＨＳＳ上で削除されるとき、ＡＳは、パブリックＩＤが削除されることについて通知を受けるべきである。次いで、ＡＳは、必要に応じて、任意の対応する措置を講じることができる。しかし、現在、Ｓｈインターフェースは、パブリックＩＤ削除通知を提供していない。
【００２５】
したがって、本発明は、ＨＳＳ上でパブリックＩＤが削除されるときに、パブリックＩＤが削除されることの通知をＡＳが受けるべきであると提案する。
【００２６】
本発明は、データ型ｔＩｄｅｎｔｉｔｙＴｙｐｅに追加の値が加えられ、したがって、ＨＳＳ上でパブリックＩＤが削除されるときに、ＨＳＳによってＡＳに表示を提供できることをも提案する。
【００２７】
この規格の現状によれば、図２Ａ、図２Ｂ、図２Ｃで想起されるように、ＩｄｅｎｔｉｔｙＴｙｐｅは、以下の３つの値のうちの１つを有する：
ＰＵＢＬＩＣ＿ＵＳＥＲ＿ＩＤＥＮＴＩＴＹ
ＤＩＳＴＩＮＣＴ＿ＰＳＩ
ＷＩＬＤＣＡＲＤＥＤ＿ＰＳＩ。
【００２８】
本発明は、図４Ａ、４Ｂ、４Ｃに示されるように、新しい第４の値：
ＤＥＬＥＴＥＤ
を追加して、ＨＳＳ上でＰＵＩＤ／ＰＳＩが削除されたことを示すことを提案する。
【００２９】
ＨＳＳがＡＳにＰＵＩＤ削除通知を送るとき、ＡＳは、ＩＤがＰＵＩＤまたはＰＳＩであることを既に知っているはずであり、したがって、この場合、既存の３つのＩｄｅｎｔｉｔｙＴｙｐｅ値は使用されず、第４の値「ＤＥＬＥＴＥＤ」が使用されることに留意されたい。
【００３０】
したがって、本発明は、ＨＳＳ上でパブリック・ユーザＩＤまたはパブリック・サービスＩＤが削除されるときに、Ｉｄｅｎｔｉｔｙ  Ｔｙｐｅは、「ＤＥＬＥＴＥＤ」を示すことを提案する。
【００３１】
換言すると、本発明は、パブリックＩＤ（ＰＵＩＤ／ＰＳＩ）が削除されることを示すために新しいＩｄｅｎｔｉｔｙ  ｔｙｐｅ：「ＤＥＬＥＴＥＤ」を追加することによって、ＳｈインターフェースのＵｓｅｒ−Ｄａｔａ  ＡＶＰ  ＸＭＬ記述を拡張することを提案する。
【００３２】
さらに換言すると、本発明は、Ｓｈインターフェースの新しい内容、Ｕｓｅｒ−Ｄａｔａ  ＸＭＬ仕様を提案する。
【００３３】
本発明は、ＡＳがＩｄｅｎｔｉｔｙＴｙｐｅ「ＤＥＬＥＴＥＤ」を理解しない場合には、それを無視できることをも提案する。
【００３４】
したがって、一態様では、本発明は、ホーム加入者サーバＨＳＳ上で格納されたデータの変更についてアプリケーション・サーバＡＳに知らせるための方法を提供し、前記方法は、
−  ＨＳＳ上でパブリックＩＤが削除されるとき、ＡＳに前記パブリックＩＤ削除について知らせるステップを備える。
【００３５】
一実施形態では、前記方法は、
−  データ型を定義するＸＭＬスキーマに従うデータをＨＳＳによってＡＳに送信するステップを含む通知手順を使用するステップと、
−  パブリックＩＤ削除を示すデータ型の値と共に、ＨＳＳ上のパブリックＩＤ削除についてＡＳに通知するステップとを備える。
【００３６】
一実施形態では、前記データ型は、可能な値：
ＰＵＢＬＩＣ＿ＵＳＥＲ＿ＩＤＥＮＴＩＴＹ
ＤＩＳＴＩＮＣＴ＿ＰＳＩ
ＷＩＬＤＣＡＲＤＥＤ＿ＰＳＩ
ＤＥＬＥＴＥＤ
を有するＩｄｅｎｔｉｔｙ  Ｔｙｐｅに対応し、
値ＤＥＬＥＴＥＤは、ＨＳＳ上のパブリックＩＤ削除を示す。
【００３７】
一実施形態では、ＨＳＳ上でパブリック・ユーザＩＤまたはパブリック・サービスＩＤが削除されるとき、Ｉｄｅｎｔｉｔｙ  Ｔｙｐｅは、ＤＥＬＥＴＥＤを示すものとする。
【００３８】
一実施形態では、前記方法は、
−  ＨＳＳによってＡＳに送信されたＳｈ−Ｎｏｔｉｆ要求メッセージの情報要素ＤａｔａがマップされるＤｉａｍｅｔｅｒ  ＡＶＰ  Ｕｓｅｒ−Ｄａｔａ内のＩｄｅｎｔｉｔｙ  Ｔｙｐｅ  ＤＥＬＥＴＥＤを用いて、ＨＳＳ上のパブリック・ユーザＩＤまたはパブリック・サービスＩＤの削除を示すステップを備える。
【００３９】
一実施形態では、前記方法は、
−  パブリックＩＤ削除について通知されると、ＡＳが必要に応じて、対応する措置を講じるステップを備える。
【００４０】
一実施形態では、ＡＳは、前記パブリックＩＤ削除通知を理解しない場合、受信された通知を無視する。
【００４１】
一実施形態では、前記方法は、
−  パブリックＩＤがいずれかのＡＳサブスクリプションを有する場合、ＨＳＳがＨＳＳ上の前記パブリックＩＤの削除についてＡＳに通知するステップを備える。
【００４２】
したがって、一態様では、本発明は、
−  ＨＳＳ上でパブリックＩＤが削除されるとき、前記パブリックＩＤ削除についてアプリケーション・サーバＡＳに通知する手段を備えるホーム加入者サーバＨＳＳをも提案する。
【００４３】
一実施形態では、前記ホーム加入者サーバは、
−  データ型を定義するＸＭＬスキーマに従うデータをＨＳＳによってＡＳに送信するステップを含む通知手順を使用する手段と、
−  パブリックＩＤ削除を示すデータ型の値と共に、ＨＳＳ上のパブリックＩＤの削除についてＡＳに通知する手段とを備える。
【００４４】
一実施形態では、前記データ型は、可能な値：
ＰＵＢＬＩＣ＿ＵＳＥＲ＿ＩＤＥＮＴＩＴＹ
ＤＩＳＴＩＮＣＴ＿ＰＳＩ
ＷＩＬＤＣＡＲＤＥＤ＿ＰＳＩ
ＤＥＬＥＴＥＤ
を有するＩｄｅｎｔｉｔｙ  Ｔｙｐｅに対応し、
値ＤＥＬＥＴＥＤは、ＨＳＳ上のパブリックＩＤ削除を示す。
【００４５】
一実施形態では、ＨＳＳ上でパブリック・ユーザＩＤまたはパブリック・サービスＩＤが削除されるとき、Ｉｄｅｎｔｉｔｙ  Ｔｙｐｅは、ＤＥＬＥＴＥＤを示すものとする。
【００４６】
一実施形態では、前記ホーム加入者サーバは、
−  ＨＳＳによってＡＳに送信されたＳｈ−Ｎｏｔｉｆ要求メッセージの情報要素ＤａｔａがマップされるＤｉａｍｅｔｅｒ  ＡＶＰ  Ｕｓｅｒ−Ｄａｔａ内のＩｄｅｎｔｉｔｙ  Ｔｙｐｅ  ＤＥＬＥＴＥＤを用いて、ＨＳＳ上のパブリック・ユーザＩＤまたはパブリック・サービスＩＤの削除を示す手段を備える。
【００４７】
一実施形態では、前記ホーム加入者サーバは、
−  パブリックＩＤがいずれかのＡＳサブスクリプションを有する場合、ＨＳＳ上の前記パブリックＩＤの削除についてＡＳに通知する手段を備える。
【００４８】
したがって、一態様では、本発明は、
−  ホーム加入者サーバＨＳＳから、ＨＳＳ上のパブリックＩＤ削除についての通知を受け取る手段を備えるアプリケーション・サーバＡＳをも提案する。
【００４９】
一実施形態では、前記アプリケーション・サーバＡＳは、
−  データ型を定義するＸＭＬスキーマに従うデータをＨＳＳによってＡＳに送信するステップを含む通知手続きを使用する手段と、
−  パブリックＩＤ削除を示すデータ型の値と共に、ＨＳＳ上のパブリックＩＤ削除についての通知を受け取る手段とを備える。
【００５０】
一実施形態では、前記データ型は、可能な値：
ＰＵＢＬＩＣ＿ＵＳＥＲ＿ＩＤＥＮＴＩＴＹ
ＤＩＳＴＩＮＣＴ＿ＰＳＩ
ＷＩＬＤＣＡＲＤＥＤ＿ＰＳＩ
ＤＥＬＥＴＥＤ
を有するＩｄｅｎｔｉｔｙ  Ｔｙｐｅに対応し、
値ＤＥＬＥＴＥＤは、ＨＳＳ上のパブリックＩＤ削除を示す。
【００５１】
一実施形態では、ＨＳＳ上でパブリック・ユーザＩＤまたはパブリック・サービスＩＤが削除されるとき、Ｉｄｅｎｔｉｔｙ  Ｔｙｐｅは、ＤＥＬＥＴＥＤを示すものとする。
【００５２】
一実施形態では、前記アプリケーション・サーバＡＳは、
−  ＨＳＳによってＡＳに送信されたＳｈ−Ｎｏｔｉｆ要求メッセージの情報要素ＤａｔａがマップされるＤｉａｍｅｔｅｒ  ＡＶＰ  Ｕｓｅｒ−Ｄａｔａ内のＩｄｅｎｔｉｔｙ  Ｔｙｐｅ  ＤＥＬＥＴＥＤを用いて、ＨＳＳ上のパブリック・ユーザＩＤまたはパブリック・サービスＩＤの削除を示す通知を受け取る手段を備える。
【００５３】
一実施形態では、前記アプリケーション・サーバＡＳは、
−  パブリックＩＤ削除について通知されると、必要に応じて、対応する措置を講じる手段を備える。
【００５４】
一実施形態では、ＡＳは、前記パブリックＩＤ削除通知を理解しない場合、受信された通知を無視する。
【００５５】
一実施形態では、前記アプリケーション・サーバＡＳは、
−  ＡＳがＨＳＳ上の前記パブリックＩＤへのいずれかのサブスクリプションを有する限り、ＨＳＳ上の前記パブリックＩＤの削除についての通知を受け取る手段を備える。
【００５６】
本発明の別の態様は、特に、以下の説明に基づく。
【００５７】
ＨＳＳ上でパブリックＩＤ（パブリック・ユーザＩＤ  ＰＵＩＤまたはパブリック・サービスＩＤ  ＰＳＩ）が削除されるとき、パブリックＩＤがいずれかのＡＳサブスクリプションを有する場合には、ＡＳは、パブリックＩＤが削除されることの通知を受けるべきである。次いで、ＡＳは、必要に応じて、対応する措置を講じることができる。
【００５８】
したがって、本発明は、ＨＳＳ上でパブリックＩＤが削除されるとき、パブリックＩＤがいずれかのＡＳサブスクリプションを有する場合には、ＡＳは、パブリックＩＤが削除されることの通知を受けるべきと提案する。
【００５９】
本発明は、いずれかのサブスクリプションを有するパブリック・ユーザＩＤまたはパブリック・サービスＩＤがＨＳＳ上で取り除かれる（または削除される）ことが、Ｕｓｅｒ−Ｄａｔａ  ＡＶＰ内のＩｄｅｎｔｉｔｙＴｙｐｅ「ＤＥＬＥＴＥＤ」を用いて示されるべきことをも提案する。ＩｄｅｎｔｉｔｙＴｙｐｅ「ＤＥＬＥＴＥＤ」は、ＡＳがそれを理解しない場合、無視することができる。
【００６０】
換言すると、本発明は、ＨＳＳ上でパブリックＩＤが削除されるとき、ＡＳがＨＳＳ上のパブリックＩＤのいずれかのデータ・サブスクリプションを有する限り、ＨＳＳが、パブリックＩＤが削除されることを示す拡張型Ｕｓｅｒ−Ｄａｔａと共にＳｈ  Ｐｕｓｈ−Ｎｏｔｉｆｉｃａｔｉｏｎ−ＲｅｑｕｅｓｔをＡＳに送信するように、Ｓｈ  Ｐｕｓｈ−Ｎｏｔｉｆｉｃａｔｉｏｎ−Ｒｅｑｕｅｓｔメッセージ処理手順を拡張することを提案する。
【００６１】
さらに換言すると、本発明は、Ｓｈ  Ｐｕｓｈ−Ｎｏｔｉｆｉｃａｔｉｏｎ−Ｒｅｑｕｅｓｔ処理の拡張を提案する。
【００６２】
ＡＳがＳｈ  Ｓｕｂｓｃｒｉｐｔｉｏｎ−Ｎｏｔｉｆｉｃａｔｉｏｎ−ＲｅｑｕｅｓｔによってＰＵＩＤ／ＰＳＩについてのいずれかのデータ通知をサブスクライブするときはいつでも、ＨＳＳデータベースは、こうしたサブスクリプションを記録する。Ｓｈ  Ｓｕｂｓｃｒｉｐｔｉｏｎ−Ｎｏｔｉｆｉｃａｔｉｏｎ−Ｒｅｑｕｅｓｔの送信については、たとえば図１のステップ８で想起されよう。
【００６３】
ＡＳへのＳｈ  Ｐｕｓｈ−Ｎｏｔｉｆｉｃａｔｉｏｎ−Ｒｅｑｕｅｓｔの送信については、たとえば図１のステップ１２で想起されよう。しかし、従来技術とは対照的に、本発明では、Ｓｈ  Ｐｕｓｈ−Ｎｏｔｉｆｉｃａｔｉｏｎ−Ｒｅｑｕｅｓｔは、ＡＳがＨＳＳ上のパブリックＩＤについての通知へのいずれかのサブスクリプションを有する限り、ＡＳに送信される。
【００６４】
本発明は、ＰＵＩＤ／ＰＳＩが削除されるとき、ＰＵＩＤ／ＰＳＩがＨＳＳデータベース内にいずれかのＡＳサブスクリプション記録を有する場合には、ＨＳＳは、パブリックＩＤ要素を含むＵｓｅｒ  Ｄａｔａ  ＡＶＰと共に、Ｓｈ  Ｐｕｓｈ−Ｎｏｔｉｆｉｃａｔｉｏｎ−ＲｅｑｕｅｓｔをＡＳに送信する。
【００６５】
本発明は、パブリックＩＤ要素が、値「ＤＥＬＥＴＥＤ」を伴う属性ＩｄｅｎｔｉｔｙＴｙｐｅを有することをも提案する。ＡＳがＰＵＩＤ削除通知拡張をサポートする場合は、ＡＳは、必要な対応する措置へと進んでよい。ＡＳは、ＰＵＩＤ削除通知拡張をサポートしない場合は、受信された通知を無視し、処置を講じなくてよい。
【００６６】
提案された手順の重要な利点のうちの１つは、ＡＳがＨＳＳ上のＰＵＩＤ／ＰＳＩ削除を明示的にサブスクライブする必要がないことである。ＡＳは、ＰＵＩＤの登録ステータスまたはＰＵＩＤのリポジトリ・データ変更など、ＨＳＳ上のＰＵＩＤ／ＰＳＩへのいずれかのサブスクリプションを有する限り、ＨＳＳ上でＰＵＩＤが削除されるとき、ＨＳＳからＰＵＩＤ／ＰＳＩ削除通知を自動的に受け取る。
【００６７】
したがって、別の態様では、本発明は、ホーム加入者サーバＨＳＳ上に格納されたデータの変更についてアプリケーション・サーバＡＳに通知するための方法を提案し、前記方法は、
−  パブリックＩＤが通知へのいずれかのＡＳサブスクリプションを有する場合、ＨＳＳが、ＨＳＳ上の前記パブリックＩＤの削除についてＡＳに通知するステップを備える。
【００６８】
一実施形態では、前記方法は、
−  データ型を定義するＸＭＬスキーマに従うデータをＨＳＳによってＡＳに送信するステップを含む通知手順を使用するステップと、
−  パブリックＩＤ削除を示すデータ型の値と共に、ＨＳＳ上のパブリックＩＤ削除についてＡＳに通知するステップとを備える。
【００６９】
一実施形態では、前記データ型は、可能な値：
ＰＵＢＬＩＣ＿ＵＳＥＲ＿ＩＤＥＮＴＩＴＹ
ＤＩＳＴＩＮＣＴ＿ＰＳＩ
ＷＩＬＤＣＡＲＤＥＤ＿ＰＳＩ
ＤＥＬＥＴＥＤ
を有するＩｄｅｎｔｉｔｙ  Ｔｙｐｅに対応し、
値ＤＥＬＥＴＥＤは、ＨＳＳ上のパブリックＩＤ削除を示す。
【００７０】
一実施形態では、ＨＳＳ上でパブリック・ユーザＩＤまたはパブリック・サービスＩＤが削除されるとき、Ｉｄｅｎｔｉｔｙ  Ｔｙｐｅは、ＤＥＬＥＴＥＤを示すものとする。
【００７１】
一実施形態では、前記方法は、
−  ＨＳＳによってＡＳに送信されたＳｈ−Ｎｏｔｉｆ要求メッセージの情報要素ＤａｔａがマップされるＤｉａｍｅｔｅｒ  ＡＶＰ  Ｕｓｅｒ−Ｄａｔａ内のＩｄｅｎｔｉｔｙ  Ｔｙｐｅ  ＤＥＬＥＴＥＤを用いて、ＨＳＳ上のパブリック・ユーザＩＤまたはパブリック・サービスＩＤの削除を示すステップを備える。
【００７２】
一実施形態では、前記方法は、
−  パブリックＩＤ削除について通知されると、ＡＳが必要に応じて、対応する措置を講じるステップを備える。
【００７３】
一実施形態では、ＡＳは、前記パブリックＩＤ削除通知を理解しない場合、受信された通知を無視する。
【００７４】
したがって、別の態様では、本発明は、
−  パブリックＩＤが通知へのいずれかのアプリケーション・サーバＡＳサブスクリプションを有する場合、ＨＳＳ上の前記パブリックＩＤの削除についてＡＳに通知する手段を備えるホーム加入者サーバＨＳＳをも提案する。
【００７５】
一実施形態では、前記ホーム加入者サーバは、
−  データ型を定義するＸＭＬスキーマに従うデータをＨＳＳによってＡＳに送信するステップを含む通知手順を使用する手段と、
−  パブリックＩＤ削除を示すデータ型の値と共に、ＨＳＳ上のパブリックＩＤ削除についてＡＳに通知する手段とを備える。
【００７６】
一実施形態では、前記データ型は、可能な値：
ＰＵＢＬＩＣ＿ＵＳＥＲ＿ＩＤＥＮＴＩＴＹ
ＤＩＳＴＩＮＣＴ＿ＰＳＩ
ＷＩＬＤＣＡＲＤＥＤ＿ＰＳＩ
ＤＥＬＥＴＥＤ
を有するＩｄｅｎｔｉｔｙ  Ｔｙｐｅに対応し、
値ＤＥＬＥＴＥＤは、ＨＳＳ上のパブリックＩＤ削除を示す。
【００７７】
一実施形態では、ＨＳＳ上でパブリック・ユーザＩＤまたはパブリック・サービスＩＤが削除されるとき、Ｉｄｅｎｔｉｔｙ  Ｔｙｐｅは、ＤＥＬＥＴＥＤを示すものとする。
【００７８】
一実施形態では、前記ホーム加入者サーバは、
−  ＨＳＳによってＡＳに送信されたＳｈ−Ｎｏｔｉｆ要求メッセージの情報要素ＤａｔａがマップされるＤｉａｍｅｔｅｒ  ＡＶＰ  Ｕｓｅｒ−Ｄａｔａ内のＩｄｅｎｔｉｔｙ  Ｔｙｐｅ  ＤＥＬＥＴＥＤを用いて、ＨＳＳ上のパブリック・ユーザＩＤまたはパブリック・サービスＩＤの削除を示す手段を備える。
【００７９】
したがって、別の態様では、本発明は、
−  アプリケーション・サーバＡＳがＨＳＳ上の前記パブリックＩＤのいずれかのサブスクリプションを有する限り、ＨＳＳ上のパブリック削除についての通知をホーム加入者サーバＨＳＳから受け取る手段を備えるアプリケーション・サーバＡＳをも提案する。
【００８０】
一実施形態では、前記アプリケーション・サーバＡＳは、
−  データ型を定義するＸＭＬスキーマに従うデータをＨＳＳによってＡＳに送信するステップを含む通知手順を使用する手段と、
−  パブリックＩＤ削除を示すデータ型の値と共に、ＨＳＳ上のパブリックＩＤ削除についての通知を受け取る手段とを備える。
【００８１】
一実施形態では、前記データ型は、可能な値：
ＰＵＢＬＩＣ＿ＵＳＥＲ＿ＩＤＥＮＴＩＴＹ
ＤＩＳＴＩＮＣＴ＿ＰＳＩ
ＷＩＬＤＣＡＲＤＥＤ＿ＰＳＩ
ＤＥＬＥＴＥＤ
を有するＩｄｅｎｔｉｔｙ  Ｔｙｐｅに対応し、
値ＤＥＬＥＴＥＤは、ＨＳＳ上のパブリックＩＤ削除を示す。
【００８２】
一実施形態では、ＨＳＳ上でパブリック・ユーザＩＤまたはパブリック・サービスＩＤが削除されるとき、Ｉｄｅｎｔｉｔｙ  Ｔｙｐｅは、ＤＥＬＥＴＥＤを示すものとする。
【００８３】
一実施形態では、前記アプリケーション・サーバＡＳは、
−  ＨＳＳによってＡＳに送信されたＳｈ−Ｎｏｔｉｆ要求メッセージの情報要素ＤａｔａがマップされるＤｉａｍｅｔｅｒ  ＡＶＰ  Ｕｓｅｒ−Ｄａｔａ内のＩｄｅｎｔｉｔｙ  Ｔｙｐｅ  ＤＥＬＥＴＥＤを用いて、ＨＳＳ上のパブリック・ユーザＩＤまたはパブリック・サービスＩＤの削除を示す通知を受け取る手段を備える。
【００８４】
一実施形態では、前記アプリケーション・サーバＡＳは、
−  パブリックＩＤ削除について通知されると、必要に応じて、対応する措置を講じる手段を備える。
【００８５】
一実施形態では、ＡＳは、前記パブリックＩＤ削除通知を理解しない場合、受信された通知を無視する。
【００８６】
上記に言及された手段の詳細な実装形態は、当業者に特別な問題を提起するものではなく、したがって、こうした手段は、当業者に対して、その機能により上記に行われた内容より完全に開示する必要はない。
【図１】
2011523241.tif 000003
【図２Ａ】
2011523241.tif 000004
【図２Ｂ】
2011523241.tif 000005
【図２Ｃ】
2011523241.tif 000006
【図３Ａ】
2011523241.tif 000007
【図３Ｂ】
2011523241.tif 000008
【図３Ｃ】
2011523241.tif 000009
【図４Ａ】
2011523241.tif 000010
【図４Ｂ】
2011523241.tif 000011
【図４Ｃ】
2011523241.tif 000012
【国際調査報告】
2011523241.tif 000013
2011523241.tif 000014
2011523241.tif 000015